(57)【特許請求の範囲】
【請求項１】
ＴＣＰ（Ｔｒａｎｓｍｉｓｓｉｏｎ Ｃｏｎｔｒｏｌ Ｐｒｏｔｏｃｏｌ）／ＩＰ（Ｉｎｔｅｒｎｅｔ Ｐｒｏｔｏｃｏｌ）基盤のアドレス変更装置において、
送信者端末機から、上記送信者端末機により目的地ＩＰアドレス及び目的地ポート番号から変換されたアドレス変更ＩＰアドレス及びアドレス変更ポート番号を含む第１トラフィック情報を受信し、目的地ＩＰアドレス及び目的地ポート番号を含む第２トラフィック情報を目的地サーバーに伝送することで、上記送信者端末機と上記目的地サーバーとを連結する通信処理部；及び
上記送信者端末機から上記第１トラフィック情報を受信すれば、マッピングテーブル（ｍａｐｐｉｎｇ ｔａｂｌｅ）に従って上記第１トラフィック情報に含まれたアドレス変更ＩＰアドレス及びアドレス変更ポート番号を上記目的地ＩＰアドレス及び上記目的地ポート番号に変更するアドレス変換部；を含むことを特徴とするＴＣＰ／ＩＰ基盤のアドレス変更装置。
【請求項２】
複数のアドレス変更ポート番号に対応する複数の目的地ＩＰアドレス及び目的地ポート番号を含む上記マッピングテーブルを貯蔵するテーブル貯蔵部；をさらに含むことを特徴とする請求項１に記載のＴＣＰ／ＩＰ基盤のアドレス変更装置。
【請求項３】
上記アドレス変更装置は、上記マッピングテーブルから上記アドレス変更ポート番号に対応する上記目的地ＩＰアドレス及び上記目的地ポート番号を検出し、上記アドレス変更ＩＰアドレス及び上記アドレス変更ポート番号を検出された目的地ＩＰアドレス及び目的地ポート番号に変更することを特徴とする請求項１または請求項２に記載のＴＣＰ／ＩＰ基盤のアドレス変更装置。
【請求項４】
上記送信者端末機は、アドレス変更情報をデフォルト状態で貯蔵し、上記目的地ＩＰアドレス及び上記目的地ポート番号を外部から入力すれば、上記アドレス変更情報に従って上記目的地ＩＰアドレス及び上記目的地ポート番号を上記アドレス変更ＩＰアドレス及び上記アドレス変更ポート番号に変更し、上記アドレス変更ＩＰアドレス及び上記アドレス変更ポート番号を含む上記第１トラフィック情報を伝送することを特徴とする請求項１に記載のＴＣＰ／ＩＰ基盤のアドレス変更装置。
【請求項５】
上記アドレス変更情報は、複数の目的地ＩＰアドレス及び目的地ポート番号のそれぞれに対応する複数のアドレス変更ＩＰアドレス及びアドレス変更ポート番号を含むことを特徴とする請求項４に記載のＴＣＰ／ＩＰ基盤のアドレス変更装置。
【請求項６】
ＴＣＰ／ＩＰ基盤のアドレス変更方法において、
（ａ）送信者端末機により目的地ＩＰアドレス及び目的地ポート番号から変換されたアドレス変更ＩＰアドレス及びアドレス変更ポート番号を含む第１トラフィック情報を受信する段階；
（ｂ）マッピングテーブルに従って上記アドレス変更ＩＰアドレス及び上記アドレス変更ポート番号を目的地ＩＰアドレス及び目的地ポート番号に変更する段階；及び
（ｃ）上記目的地ＩＰアドレス及び上記目的地ポート番号を含む第２トラフィック情報を目的地サーバーに伝送することで、上記送信者端末機と上記目的地サーバーとを連結する段階；を含むことを特徴とするＴＣＰ／ＩＰ基盤のアドレス変更方法。
【請求項７】
上記段階（ｂ）は、
上記マッピングテーブルから上記アドレス変更ポート番号に対応する上記目的地ＩＰアドレス及び上記目的地ポート番号を検出し、上記アドレス変更ＩＰアドレス及び上記アドレス変更ポート番号を検出された目的地ＩＰアドレス及び目的地ポート番号に変更することを特徴とする請求項６に記載のＴＣＰ／ＩＰ基盤のアドレス変更方法。
【発明の詳細な説明】
【技術分野】
【０００１】
本発明は、ＴＣＰ／ＩＰ基盤のアドレス変更方法及び装置に関するものであって、さらに詳しくは、ＴＣＰ／ＩＰ基盤でのアドレス変更を用いたトラフィック集中化方法及び装置に関する。
【背景技術】
【０００２】
インターネットが普遍化するにつれて各家庭には超高速インターネットを受容するために少なくとも１台のＰＣが備えられている。最近には漸次超高速インターネットを用いたＶＯＤ（Ｖｉｄｅｏ ｏｎ Ｄｅｍａｎｄ）サービスのためにセットトップボックス（ｓｅｔ ｔｏｐ ｂｏｘ）及びＶｏＩＰ用の電話機など多様な端末を備えた家庭が増えつつある。
【０００３】
インターネットサービス及びＶＯＤサービスのためには、家庭内に設置される端末のそれぞれにＩＰアドレスが割り当てられていなければならない。このため、１台のＰＣだけでインターネットを利用していた初期に比べて、ＶＯＤサービスなどのために多様な端末の具備が要求される現在には多くのＩＰアドレスが消耗されるので、ＩＰアドレス不足の問題が台頭している。
【０００４】
さらに、ＶＯＤセットトップボックスまたはＰＣは使用するたびにＩＰアドレスを割り当てられても良いが、ＶｏＩＰ電話端末のような場合には常に着／発信が可能にするために常にＩＰアドレスを保有しなければならないので、ＩＰアドレスが不足する恐れが大きくなる。このような理由により、家庭内端末の場合、プライベートＩＰアドレスの導入が検討されている。
【０００５】
プライベートＩＰアドレスを用いる場合、プライベートＩＰアドレスをパブリックＩＰアドレスに、またはパブリックＩＰアドレスをプライベートＩＰアドレスに変更するＮＡＰＴ（Ｎｅｔｗｏｒｋ Ａｄｄｒｅｓｓ Ｐｏｒｔ Ｔｒａｎｓｌａｔｉｏｎ）機能を行うＮＡＰＴサーバーが必要である。上記ＮＡＰＴサーバーは、網構造上家庭内装備であるホームゲートウェイ（ｈｏｍｅ ｇａｔｅｗａｙ）の位置でＮＡＰＴ機能を行う。プライベートＩＰ網に加入された使用者は、ＮＡＴ（Ｎｅｔｗｏｒｋ Ａｄｄｒｅｓｓ Ｔｒａｎｓｌａｔｉｏｎ）またはＮＡＰＴ機能を用いて公衆網に位置したパブリックＩＰアドレスを有するウェブサーバーなどに正常に接続し、通信することができる。
【０００６】
しかし、従来にはＮＡＰＴサーバーがネットワーク上で私設網と公衆網との間に物理的に直列で連結されるので、ＮＡＰＴサーバーを用いてアドレス変更ネットワークを構成するには制限がある。また、ＮＡＰＴサーバーがネットワーク上で私設網と公衆網との間に物理的に直列で連結されるので、ＮＡＰＴサーバーに障害が発生した場合、すべての通信が中断されネットワークが麻痺してしまう短所を有している。
【０００７】
また、端末機と端末機との間にはＴＣＰ（Ｔｒａｎｓｍｉｓｓｉｏｎ Ｃｏｎｔｒｏｌ Ｐｒｏｔｏｃｏｌ）／ＩＰ（Ｉｎｔｅｒｎｅｔ Ｐｒｏｔｏｃｏｌ）基盤でアドレス変更（ｒｅｄｉｒｅｃｔｉｏｎ）をするために別途のＬ４スイッチを必要とし、ネットワークの構成に応じてアドレス変更ポイントごとにＬ４スイッチを必要とするので、個別的な管理が必要であるという問題がある。
【発明の概要】
【発明が解決しようとする課題】
【０００８】
本発明は、上述の問題点を解決するために案出されたものであって、ＴＣＰ／ＩＰ基盤で物理的ネットワークの構成に関係のないアドレス変更機能を提供する方法及び装置を提供することにその目的がある。
【０００９】
本発明の他の目的は、ＴＣＰ／ＩＰ基盤でトラフィックを集中化するための方法及び装置を提供することにある。
【課題を解決するための手段】
【００１０】
このような目的を達成するための本発明は、ＴＣＰ／ＩＰ基盤のアドレス変更装置において、送信者端末機から、上記送信者端末機により目的地ＩＰアドレス及び目的地ポート番号から変換されたアドレス変更ＩＰアドレス及びアドレス変更ポート番号を含む第１トラフィック情報を受信し、目的地ＩＰアドレス及び目的地ポート番号を含む第２トラフィック情報を目的地サーバーに伝送することで、上記送信者端末機と上記目的地サーバーとを連結する通信処理部；及び上記送信者端末機から上記第１トラフィック情報を受信すれば、マッピングテーブル（Ｍａｐｐｉｎｇ Ｔａｂｌｅ）に従って上記第１トラフィック情報に含まれたアドレス変更ＩＰアドレス及びアドレス変更ポート番号を上記目的地ＩＰアドレス及び上記目的地ポート番号に変更するアドレス変換部を含む。
【００１１】
また、本発明は、ＴＣＰ／ＩＰ基盤のアドレス変更方法において、送信者端末機により目的地ＩＰアドレス及び目的地ポート番号から変換されたアドレス変更ＩＰアドレス及びアドレス変更ポート番号を含む第１トラフィック情報を受信する段階；マッピングテーブルに従って上記アドレス変更ＩＰアドレス及び上記アドレス変更ポート番号を目的地ＩＰアドレス及び目的地ポート番号に変更する段階；及び上記目的地ＩＰアドレス及び上記目的地ポート番号を含む第２トラフィック情報を目的地サーバーに伝送することで、上記送信者端末機と上記目的地サーバーとを連結する段階を含む。
【図面の簡単な説明】
【００１２】
【図１】本発明の一実施例によるＴＣＰ／ＩＰ基盤のアドレス変更システムの概略的な構成を示すブロック構成図である。
【図２】本発明の一実施例によるアドレス変更装置内部の構成を示すブロック構成図である。
【図３】本発明の一実施例によるＴＣＰ／ＩＰ基盤のアドレス変更方法を示す流れ図である。
【発明を実施するための形態】
【００１３】
上述の目的、特徴及び長所は添付した図面と関連した以下の詳細な説明を通じてより明確になり、これによって本発明が属する技術分野において通常の知識を持つ者が本発明の技術的思想を容易に実施できるであろう。また、本発明を説明するにおいて、本発明と関連した公知技術に対する具体的な説明が本発明の要旨を不要にぼやかす恐れがあると判断される場合には、その詳細な説明を省略する。以下、添付した図面を参照しながら本発明による望ましい一実施例を詳しく説明する。
【００１４】
図１は、本発明の一実施例によるＴＣＰ／ＩＰ基盤のアドレス変更システムの概略的な構成を示すブロック構成図である。
【００１５】
図１を参照すれば、本発明によるアドレス変更システムは、送信者端末機１１０、アドレス変更装置１２０及び目的地サーバー１３０などを含む。
【００１６】
送信者端末機１１０は、複数の目的地サーバー１３０のＩＰアドレス（以下、「目的地ＩＰアドレス」と称する）及び目的地サーバー１３０のポート番号（以下、「目的地ポート番号」と称する）のそれぞれに対応する複数のアドレス変更装置１２０のＩＰアドレス（以下、「アドレス変更ＩＰアドレス」と称する）及びアドレス変更装置１２０のポート番号（以下、「アドレス変更ポート番号」と称する）を含むアドレス変更情報をデフォルト状態で貯蔵する。
【００１７】
送信者端末機１１０は、目的地サーバー１３０に接続するための目的地ＩＰアドレス及び目的地ポート番号を外部から入力すれば、上記貯蔵されたアドレス変更情報に従って目的地ＩＰアドレス及び目的地ポート番号をアドレス変更ＩＰアドレス及びアドレス変更ポート番号に変更する。
【００１８】
ここで、送信者端末機１１０は、アドレス変更ＩＰアドレス及びアドレス変更ポート番号を含むトラフィック情報をアドレス変更装置１２０に伝送してアドレス変更装置１２０に接続し、アドレス変更装置１２０を通じて目的地サーバー１３０と連結される。
【００１９】
アドレス変更装置１２０は、複数のアドレス変更ポート番号に対応する複数の目的地ＩＰアドレス及び目的地ポート番号を含むマッピングテーブルを貯蔵する。アドレス変更装置１２０は、アドレス変更ＩＰアドレス及びアドレス変更ポート番号を含むトラフィック情報を受信すれば、上記マッピングテーブルに従ってトラフィック情報のアドレス変更ＩＰアドレス及びアドレス変更ポート番号を目的地ＩＰアドレス及び目的地ポート番号に変更する。そして、アドレス変更装置１２０は、目的地ＩＰアドレス及び目的地ポート番号を含むトラフィック情報を目的地サーバー１３０に伝送して目的地サーバー１３０に接続することで、送信者端末機１１０が目的地サーバー１３０と連結されるようにする。詳しくは、アドレス変更装置１２０は、マッピングテーブルからトラフィック情報に含まれたアドレス変更ポート番号に対応する目的地ＩＰアドレス及び目的地ポート番号を検出し、トラフィック情報のアドレス変更ＩＰアドレス及びアドレス変更ポート番号を検出された目的地ＩＰアドレス及び目的地ポート番号に変更する。
【００２０】
本実施例においては、送信者端末機１１０とアドレス変更装置１２０とを区分して説明したが、アドレス変更装置１２０は送信者端末機１１０の一部の構成要素として送信者端末機１１０に統合具現されることが望ましい。従って、複数の送信者端末機１１０に対して各送信者端末機１１０はアドレス変更装置１２０をそれぞれ備えることが望ましい。
【００２１】
目的地サーバー１３０は、ＴＣＰ／ＩＰ基盤で固有のＩＰアドレス及びポート番号を有するサーバーであり、会員情報、課金情報、付加サービス情報及び会員ポイント情報などを貯蔵するデータベースを含むことができる。
【００２２】
図２は、本発明の一実施例によるアドレス変更装置内部の構成を示すブロック構成図である。
【００２３】
図２を参照すれば、本発明によるアドレス変更装置１２０は、通信処理部２１０、アドレス変換部２２０及びテーブル貯蔵部２３０などを含む。
【００２４】
通信処理部２１０は、送信者端末機１１０から送信者端末機１１０によって変換されたアドレス変更ＩＰアドレス及びアドレス変更ポート番号を含むトラフィック情報を受信する。また、通信処理部２１０は、アドレス変換部２２０によって変換された目的地ＩＰアドレス及び目的地ポート番号を含むトラフィック情報を目的地サーバー１３０に伝送することで、送信者端末機１１０と目的地サーバー１３０とを連結する。
【００２５】
アドレス変換部２２０は、通信処理部２１０を通じて送信者端末機１１０からアドレスが変換されたトラフィック情報を受信すれば、テーブル貯蔵部２３０に貯蔵されたマッピングテーブルに従ってトラフィック情報に含まれたアドレス変更ＩＰアドレス及びアドレス変更ポート番号を目的地ＩＰアドレス及び目的地ポート番号に変更する。
【００２６】
テーブル貯蔵部２３０は、複数のアドレス変更ポート番号に対応する複数の目的地ＩＰアドレス及び目的地ポート番号を含むマッピングテーブルを貯蔵する。
【００２７】
図３は、本発明の一実施例によるＴＣＰ／ＩＰ基盤のアドレス変更方法を示す流れ図である。
【００２８】
図３を参照すれば、送信者端末機１１０は、複数の目的地ＩＰアドレス及び目的地ポート番号のそれぞれに対応する複数のアドレス変更ＩＰアドレス及びアドレス変更ポート番号を含むアドレス変更情報をデフォルト状態で貯蔵する（Ｓ３１０）。
【００２９】
送信者端末機１１０は、目的地サーバー１３０に接続するための目的地ＩＰアドレス及び目的地ポート番号を外部から入力すれば、アドレス変更情報に従って目的地ＩＰアドレス及び目的地ポート番号をアドレス変更ＩＰアドレス及びアドレス変更ポート番号に変更する（Ｓ３２０）。例えば、「目的地ＩＰアドレス：目的地ポート番号」が「１９２.１６８.２００.２００：１５２１」であり、「アドレス変更ＩＰアドレス：アドレス変更ポート番号」が「１９２.１６８.１００.１００：４００１」である場合、「１９２.１６８.２００.２００：１５２１」を「１９２.１６８.１００.１００：４００１」に変更する。
【００３０】
次いで、送信者端末機１１０は、アドレス変更ＩＰアドレス及びアドレス変更ポート番号を含むトラフィック情報をアドレス変更装置１２０に伝送してアドレス変更装置１２０に接続する（Ｓ３３０）。
【００３１】
アドレス変更装置１２０は、複数のアドレス変更ポート番号に対応する複数の目的地ＩＰアドレス及び目的地ポート番号を含むマッピングテーブルに従ってトラフィックのアドレス変更ＩＰアドレス及びアドレス変更ポート番号を目的地ＩＰアドレス及び目的地ポート番号に変更する（Ｓ３４０）。詳しくは、アドレス変更装置１２０は、マッピングテーブルからトラフィックに含まれたアドレス変更ポート番号に対応する目的地ＩＰアドレス及び目的地ポート番号を検出し、トラフィックのアドレス変更ＩＰアドレス及びアドレス変更ポート番号を検出された目的地ＩＰアドレス及び目的地ポート番号に変更する。例えば、「１９２.１６８.１００.１００：４００１」を「４００１」に対応する「１９２.１６８.２００.２００：１５２１」に変更する。
【００３２】
次いで、アドレス変更装置１２０は、目的地ＩＰアドレス及び目的地ポート番号を含むトラフィックを目的地サーバー１３０に伝送して目的地サーバー１３０に接続することで、送信者端末機１１０が目的地サーバー１３０と連結されるようにする（Ｓ３５０）。
【００３３】
上述の説明は本発明の技術思想を例示的に説明したものに過ぎず、本発明が属する技術分野において通常の知識を持つ者であれば、本発明の本質的な特性から逸脱しない範囲内で多様な修正及び変形が可能であろう。従って、本発明に開示された実施例は、本発明の技術思想を限定するためのものではなく説明するためのものであって、このような実施例によって本発明の技術思想の範囲が限定されるのではない。本発明の保護範囲は以下の請求の範囲によって解釈されなければならず、これと同等の範囲内にあるすべての技術思想は本発明の権利範囲に含まれるものとして解釈されなければならない。
【産業上の利用可能性】
【００３４】
上述の本発明によれば、使用者は物理的なネットワークの構成に関係なく所望のサーバーに接続することができ、これによって中央集中管理及び分散処理が可能であり、所望のプロトコルに対して柔軟に伝送経路を変更して用途に応じて任意でプロトコルを加工することができる。また、アドレス変更機能を行うために別途のハードウェアを必要とせず、障害が発生したとき該当のトラフィックと関係のないトラフィックのネットワーク伝送が可能である。
【図１】
0004718638.tif 000002
【図２】
0004718638.tif 000003
【図３】
0004718638.tif 000004